(57)【要約】【課題】乳幼児の安全性を確保し、且つ、保護者も安心して休憩することができる乳幼児及び保護者のための椅子を提供する。【解決手段】乳幼児及び保護者のための椅子１が、後壁２と、２つの側壁３と、１つの平面状の座面４とを具備し、座面４には、前方に突出する第１突出面４１及び第２突出面４２が左右に設けられ、第１突出面４１が、第２突出面４２よりも前方に突出している。【選択図】図１
2020171370.tif 000002
【特許請求の範囲】
【請求項１】
後壁と、２つの側壁と、１つの平面状の座面とを具備し、
前記座面には、前方に突出する第１突出面及び第２突出面が左右に設けられ、
前記第１突出面が、前記第２突出面よりも前方に突出していることを特徴とする乳幼児及び保護者のための椅子。
【請求項２】
前記第１突出面の縁部が第１凸曲線部を有し、前記第２突出面の縁部が第２凸曲線部を有し、前記第１突出面及び前記第２突出面間の縁部が、前記第１凸曲線部及び前記第２凸曲線部を連続的に接続する凹曲線部を有している請求項１に記載の乳幼児及び保護者のための椅子。
【請求項３】
前記凹曲線部の曲率が前記第１凸曲線部の曲率よりも大きく、前記第１凸曲線部の曲率が前記第２凸曲線部の曲率よりも大きい請求項２に記載の乳幼児及び保護者のための椅子。
【請求項４】
前記後壁又は前記側壁に遊具が設けられている請求項１乃至３のいずれか一項に記載の乳幼児及び保護者のための椅子。
【請求項５】
前記側壁の上面に把持部が設けられている請求項１乃至４のいずれか一項に記載の乳幼児及び保護者のための椅子。
【請求項６】
前記座面の後部に、前記後壁と前記２つの側壁とに包囲された乳幼児用スペースが設けられている請求項１乃至５のいずれか一項に記載の乳幼児及び保護者のための椅子。
【発明の詳細な説明】
【技術分野】
【０００１】
本発明は、乳幼児及び保護者のための椅子に関する。
【背景技術】
【０００２】
授乳室等に設置された授乳用の椅子が公知である（例えば特許文献１）。こうした椅子には、授乳の際に母親が無理な体勢とならずに楽に授乳ができるように、座面の高さが調整され、また、手摺り又は肘掛けが設けられている。
【先行技術文献】
【特許文献】
【０００３】
【特許文献１】意匠登録第１４８２０２１号公報
【発明の概要】
【発明が解決しようとする課題】
【０００４】
ところで、授乳時以外にも、保護者、例えば両親や祖父母が、乳幼児を連れて外出した際に休憩したい場合がある。こうした場合に、横１列に並んで座る従来の椅子やベンチでは、２人の保護者は、その間にいる乳幼児に対して身体を捻って向ける必要があり、無理な体勢となってしまう。
【０００５】
これを改善するため、Ｕ字型に配置され又は構成された椅子又はベンチが考えられる。しかしながら、Ｕ字型の椅子又はベンチは、設置面積に比べて利用可能な座面の面積が小さい。また、Ｕ字型の椅子又はベンチでは、２人の保護者同士が乳幼児を挟んで正対することとなり、それによって保護者同士が気恥ずかしさ等の居心地の悪さを感じる場合もある。
【０００６】
本発明は、乳幼児の安全性を確保し、且つ、保護者も安心して休憩することができる乳幼児及び保護者のための椅子を提供することを目的とする。
【課題を解決するための手段】
【０００７】
本発明の一態様によれば、後壁と、２つの側壁と、１つの平面状の座面とを具備し、前記座面には、前方に突出する第１突出面及び第２突出面が左右に設けられ、前記第１突出面が、前記第２突出面よりも前方に突出していることを特徴とする乳幼児及び保護者のための椅子が提供される。
【０００８】
前記第１突出面の縁部が第１凸曲線部を有し、前記第２突出面の縁部が第２凸曲線部を有し、前記第１突出面及び前記第２突出面間の縁部が、前記第１凸曲線部及び前記第２凸曲線部を連続的に接続する凹曲線部を有していてもよい。前記凹曲線部の曲率が前記第１凸曲線部の曲率よりも大きく、前記第１凸曲線部の曲率が前記第２凸曲線部の曲率よりも大きくてもよい。前記後壁又は前記側壁に遊具が設けられていてもよい。前記側壁の上面に把持部が設けられていてもよい。前記座面の後部に、前記後壁と前記２つの側壁とに包囲された乳幼児用スペースが設けられていてもよい。
【発明の効果】
【０００９】
本発明の態様によれば、乳幼児の安全性を確保し、且つ、保護者も安心して休憩することができる乳幼児及び保護者のための椅子を提供するという共通の効果を奏する。
【図面の簡単な説明】
【００１０】
【図１】図１は、乳幼児及び保護者のための椅子の斜視図である。
【図２】図２は、図１の椅子の正面図である。
【図３】図３は、図１の椅子の上面図である。
【図４】図４は、図１の椅子の使用状態を示す図である。
【図５】図５は、乳幼児及び保護者のための別の椅子の上面図である。
【発明を実施するための形態】
【００１１】
以下、図面を参照しながら本発明の実施の形態を詳細に説明する。全図面に渡り、対応する構成要素には共通の参照符号を付す。
【００１２】
図１は、乳幼児及び保護者のための椅子１の斜視図であり、図１の椅子１の正面図であり、図３は、図１の椅子１の上面図である。
【００１３】
乳幼児及び保護者のための椅子１は、後壁２と、２つの側壁３と、１つの平面状の座面４とを有している。後壁２の前面には、遊具５が設けられている。側壁３の上面には、把持部６が設けられている。本明細書中では、椅子１において、着座した人から見て、「前」側、「後」側、「右」側及び「左」側と規定する。
【００１４】
座面４は、全体として、側壁３の前端面３ａよりも前方に延びている。座面４には、前方に突出する第１突出面４１及び第２突出面４２が左右に設けられている。第１突出面４１は、第２突出面４２よりも前方に突出している。その結果、第１突出面４１及び第２突出面４２間には、凹面４３が設けられる。
【００１５】
第１突出面４１の縁部は、第１凸曲線部４４を有している。第２突出面４２の縁部は、第２凸曲線部４５を有している。凹面４３の縁部は、第１凸曲線部４４及び第２凸曲線部４５を連続的に接続する凹曲線部４６を有している。すなわち、座面４の縁部、すなわち前端は、全体として、波形形状に形成されている。
【００１６】
凹曲線部４６の曲率Ｒ３は、第１凸曲線部４４の曲率Ｒ１よりも大きい。第１凸曲線部４４の曲率Ｒ１は、第２凸曲線部４５の曲率Ｒ２よりも大きい。なお、第１凸曲線部４４、第２凸曲線部４５及び凹曲線部４６の各々が、曲率の異なる複数の曲線からなる場合には、それら曲率の平均値を曲率Ｒ１、曲率Ｒ２及び曲率Ｒ３として規定してもよい。また、第１凸曲線部４４、第２凸曲線部４５及び凹曲線部４６の各々における複数の曲線のうち、最大の曲率を曲率Ｒ１、曲率Ｒ２及び曲率Ｒ３として規定してもよい。
【００１７】
１つの実施例において、後壁２の幅は１１００ｍｍであり、側壁３の幅は３５０ｍｍであり、後壁２及び側壁３の高さは１０５０ｍｍである。座面４の高さは３００ｍｍである。また、図３において、後壁２から座面４の第１突出面４１の前端までの長さは８００ｍｍであり、後壁２から座面４の第２突出面４２の前端までの長さは６００ｍｍである。したがって、第１突出面４１は、第２突出面４２よりも２００ｍｍだけ前方に突出している。第１凸曲線部４４の曲率Ｒ１は２５０ｍｍであり、第２凸曲線部４５の曲率Ｒ２は１００ｍｍであり、凹曲線部４６の曲率Ｒ３は６００ｍｍである。
【００１８】
図３に示されるように、座面４の後部に、後壁２と２つの側壁３とに包囲された乳幼児用スペースＡが設けられている。具体的には、２つの側壁３の前端面３ａ間を結ぶ線Ｌよりも後方が乳幼児用スペースＡである。
【００１９】
遊具５は、例えば、叩くと音が出る木琴のような木製の遊具である。遊具５は、タッチパネルを備えたタブレット端末であってもよく、その他の任意の遊具であってもよい。遊具５は、後壁２の前面において、より前方に突出する第１突出面４１の側に設けられているが、第２突出面４２の側に設けてもよい。また、遊具５を、後壁２に代えて又は後壁２に加えて側壁３に設けてもよい。遊具５は、交換可能であってもよい。
【００２０】
図４は、図１の椅子１の使用状態を示す図である。保護者Ｐ１は第１突出面４１に着座し、保護者Ｐ２は第２突出面４２に着座している。また、乳幼児Ｃは乳幼児用スペースＡにいる。したがって、保護者Ｐ１、Ｐ２が座面４の前方に着座して休憩する間、乳幼児Ｃは、それより後方の乳幼児用スペースＡにおいて、着座したり、寝たり、遊んだりして過ごすことができる。
【００２１】
後壁２及び側壁３の高さを、乳幼児Ｃの手が後壁２及び側壁３の上面まで届かないように高く設定することによって、乳幼児Ｃがよじ登ることを防止し、事故を未然に防ぐことができる。さらに、座面４は、全体として、側壁３よりも前方に延びていることから、乳幼児用スペースＡを充分に確保しつつ、保護者Ｐ１、Ｐ２が着座するスペースも広く確保することができる。また、保護者Ｐ１、Ｐ２が着座する座面４の部分には側壁３が延びていないことから、保護者Ｐ１、Ｐ２は閉塞感を感じることなく休憩することができる。
【００２２】
図４に示されるように、保護者Ｐ１と保護者Ｐ２とは正対していない。すなわち、保護者Ｐ１及び保護者Ｐ２がそれぞれ第１突出面４１及び第２突出面４２に着座した場合、保護者Ｐ１と保護者Ｐ２とが正対しないように座面４の形状が設定されている。具体的には、正対する位置となる前に保護者Ｐ１、Ｐ２の脚が凹面４３の縁部に当接するように、第１突出面４１の突出量若しくは曲率Ｒ１及び第２突出面４２の突出量若しくは曲率Ｒ２、並びに、凹面４３の凹み量若しくは曲率Ｒ３を調整する。それによって、保護者Ｐ１と保護者Ｐ２とが正対することがなく、乳幼児Ｃを見守りつつ保護者Ｐ１及び保護者Ｐ２間で適切な距離を保つことができ、互いに気恥ずかしさ等の居心地の悪さを感じることもない。
【００２３】
したがって、椅子１によれば、乳幼児Ｃは、三方を後壁２及び２つの側壁３によって包囲され、且つ、前方は保護者Ｐ１、Ｐ２によって見守られていることから、乳幼児Ｃの安全性を確保し、且つ、保護者Ｐ１、Ｐ２も安心して休憩することができる。
【００２４】
仮に、特に第１突出面４１及び凹面４３の縁部が曲線状ではなく、矩形の突出面又は凹面によって形成される直線状の縁部だとすると、特に保護者Ｐ１の脚が矩形の突出面の直角状の縁部に当たり、姿勢を変更しにくい。椅子１では、第１突出面４１及び凹面４３の縁部が曲線状であることから、着座や乳幼児への着目、起立の動作を、よりスムーズに姿勢変更しながら行うことができる。
【００２５】
座面４の高さを、通常の椅子又はベンチよりも低く（例えば３００ｍｍ）設定することによって、万が一乳幼児が座面４から転落しても、大怪我をすることが防止される。側壁３の上面に設けられた把持部６を利用することによって、休憩を終えた保護者が容易に立ち上がることができる。
【００２６】
椅子１が遊具５を有することによって、乳幼児は椅子１に着座又は起立しながら遊具５に夢中になる。そのため、両親に比べると不慣れな保護者、例えば祖父母が乳幼児の面倒を見ることになっても、乳幼児が泣き出したりすることなく、保護者も安心して休憩することができる。
【００２７】
図５は、乳幼児及び保護者のための別の椅子１の上面図である。図５に示された椅子１は、図１に示された椅子１と比べて、第２突出面４２を有さない点において異なる。すなわち、椅子１は、第２突出面４２に代えて、後壁２と平行な縁部を有する平坦面４７を有するように構成してもよい。この場合、第１突出面４１と平坦面４７との間には、凹面４３が設けられる。したがって、上述した図１に示された椅子１と同様に、保護者の脚が凹面４３の縁部に当接することによって２人の保護者が正対することがない。その結果、乳幼児の安全性を確保し、且つ、保護者も安心して休憩することができるという、上述した図１に示された椅子１と同様の効果を奏する。
【符号の説明】
【００２８】
１    椅子
２    後壁
３    側壁
４    座面
４１    第１突出面
４２    第２突出面
４３    凹面
５    遊具
６    把持部
【図１】
2020171370.tif 000003
【図２】
2020171370.tif 000004
【図３】
2020171370.tif 000005
【図４】
2020171370.tif 000006
【図５】
2020171370.tif 000007